(57)【要約】【課題】信頼性の高いメンテナンスを効率的に行う流体噴射装置のメンテナンス方法及び流体噴射装置を提供すること。【解決手段】流体を噴射するノズルを有する流体噴射ヘッドを備えた流体噴射装置メンテナンス方法であって、前記ノズル近傍を負圧とすることで前記ノズルから前記流体を排出させるクリーニング動作において、前記流体の溶存窒素量に応じて前記流体の排出動作を調整する。【選択図】図７
2010221483.tif 000002
【特許請求の範囲】
【請求項１】
流体を噴射するノズルを有する流体噴射ヘッドを備えた流体噴射装置メンテナンス方法であって、
前記ノズル近傍を負圧にすることで前記ノズルから前記流体を排出させるクリーニング動作において、前記流体の溶存窒素量に応じて前記流体の排出動作を調整する
ことを特徴とする流体噴射装置のメンテナンス方法。
【請求項２】
前記流体噴射ヘッドに供給される前の前記流体における前記溶存窒素量を検出し、
前記クリーニング動作では、検出結果に応じて前記排出動作を調整する
ことを特徴とする請求項１に記載の流体噴射装置のメンテナンス方法。
【請求項３】
前記流体の供給部を前記流体噴射ヘッドに接続してから経過する時間に基づいて前記溶存窒素量を算定し、
前記クリーニング動作では、算定結果に応じて前記排出動作を調整する
ことを特徴とする請求項１又は請求項２に記載の流体噴射装置のメンテナンス方法。
【請求項４】
前記クリーニング動作は、前記ノズル近傍を減圧することで前記負圧を発生させ、
前記排出動作の調整は、前記ノズル近傍の到達圧力、前記ノズル近傍の減圧速度及び前記ノズル近傍の減圧時間のうち少なくとも１つを調整することで行う
ことを特徴とする請求項１から請求項３のうちいずれか一項に記載の流体噴射装置のメンテナンス方法。
【請求項５】
前記クリーニング動作は、第１吸引動作及び第２吸引動作の２段階の吸引動作を行い、
前記排出動作の調整は、前記第１吸引動作の終了から前記第２吸引動作の開始までの時間を調整することで行う
ことを特徴とする請求項４に記載の流体噴射装置のメンテナンス方法。
【請求項６】
前記第２吸引動作の後、前記ノズルから前記流体を噴射することで前記流体を排出するフラッシング動作を行い、
前記排出動作の調整は、前記第２吸引動作の終了から前記フラッシング動作の開始までの時間を調整することで行う
ことを特徴とする請求項５に記載の流体噴射装置のメンテナンス方法。
【請求項７】
前記排出動作の調整は、前記フラッシング動作において前記ノズルから前記流体を噴射する際の駆動周波数の調整を含む
ことを特徴とする請求項６に記載の流体噴射装置のメンテナンス方法。
【請求項８】
前記クリーニング動作は、排出時の前記流体の流れを用いて前記流体噴射ヘッド内の気泡を移動させる気泡移動ステップを有し、
前記排出動作の調整は、前記気泡移動ステップにおいて行う
ことを特徴とする請求項１から請求項７のうちいずれか一項に記載の流体噴射装置のメンテナンス方法。
【請求項９】
前記クリーニング動作は、増粘した前記流体を排出する増粘流体排出ステップを有し、
前記排出動作の調整は、前記増粘流体排出ステップにおいて行う
ことを特徴とする請求項１から請求項８のうちいずれか一項に記載の流体噴射装置のメンテナンス方法。
【請求項１０】
流体を噴射するノズルを有する流体噴射ヘッドと、
前記ノズルの近傍に負圧を発生させる負圧発生機構と、
前記負圧発生機構を用いて前記ノズル近傍を排出動作にさせることで前記ノズルから前記流体を排出させるクリーニング動作を行わせると共に、前記クリーニング動作の際に前記流体の溶存窒素量に応じて前記流体の排出動作を調整させる制御装置と
を備えることを特徴とする流体噴射装置。
【発明の詳細な説明】
【技術分野】
【０００１】
本発明は、流体噴射装置のメンテナンス方法及び流体噴射装置に関する。
【背景技術】
【０００２】
流体噴射装置として、噴射ヘッド（流体噴射ヘッド）のノズルより記録媒体にインク（流体）を噴射するインクジェット式記録装置が知られている。このようなインクジェット式記録装置では、時間の経過に伴ってノズルからのインクの吐出速度や吐出量が変化し、インクの吐出状態（噴射状態）が変化する。このため、インクの吐出速度や吐出量を所望の範囲に維持するために、定期的に噴射ヘッドのクリーニング処理が行われる
噴射ヘッドの内部では、時間の経過に伴って気泡が成長したりインクが増粘したりすることでインクの吐出速度や吐出量が所望の値を超えてしまい、吐出不良が生じる。そこで、キャッピング装置を用いた吸引動作を定期的に行うことでノズルのクリーニングが行われている（例えば、特許文献１参照）。
【先行技術文献】
【特許文献】
【０００３】
【特許文献１】特開２００１−２１９５６７号公報
【発明の概要】
【発明が解決しようとする課題】
【０００４】
このようなインクジェット式記録装置は、インクの溶存窒素量が多いと、上記気泡が発生しやすくなることを発明者は突きとめた。その際、インクの溶存窒素量が所定の値以下となるように、インク内の溶存窒素を脱気するなど、溶存窒素量を管理する技術が考えられる。
【０００５】
しかしながら、インク内の溶存窒素量を管理する手法は、装置内に脱気装置などの管理装置を別途設ける必要があるため、装置が大型化し、メンテナンスも大掛かりなものになってしまう。
【０００６】
以上のような事情に鑑み、本発明は、信頼性の高いメンテナンスを効率的に行う流体噴射装置のメンテナンス方法及び流体噴射装置を提供することを目的とする。
【課題を解決するための手段】
【０００７】
本発明に係る流体噴射装置は、流体を噴射するノズルを有する流体噴射ヘッドを備えた流体噴射装置メンテナンス方法であって、前記ノズル近傍を負圧とすることで前記ノズルから前記流体を排出させるクリーニング動作において、前記流体の溶存窒素量に応じて前記流体の排出動作を調整することを特徴とする。
【０００８】
本発明によれば、クリーニング動作において、流体の溶存窒素量に応じて流体の排出動作を調整することとしたので、無駄な流体の排出を抑えつつ流体噴射ヘッドのクリーニングを確実に行うことができる。これにより、信頼性の高いメンテナンスを効率的に行うことが可能となる。
【０００９】
上記の流体噴射装置のメンテナンス方法は、前記流体噴射ヘッドに供給される前の前記流体における前記溶存窒素量を検出し、前記クリーニング動作では、検出結果に応じて前記排出動作を調整することを特徴とする。  
本発明によれば、流体噴射ヘッドに供給される前の流体における溶存窒素量を検出し、検出結果に応じて排出動作を調整することとしたので、クリーニング動作を行うタイミングにおいてより正確な溶存窒素量を検出することができる。これにより、流体の排出量をより適正な値に調整することができるため、メンテナンスの信頼性を高めることができる。
【００１０】
上記の流体噴射装置のメンテナンス方法は、前記流体の供給部を前記流体噴射ヘッドに接続してから経過する時間に基づいて前記溶存窒素量を算定し、前記クリーニング動作では、算定結果に応じて前記排出動作を調整することを特徴とする。  
本発明によれば、流体の供給部を流体噴射ヘッドに接続してから経過する時間に基づいて溶存窒素量を算定し、算定結果に応じて排出動作を調整することとしたので、クリーニング動作を行うタイミングにおいてより正確な溶存窒素量が算出されることとなる。これにより、流体の排出量をより適正な値に調整することができるため、メンテナンスの信頼性を高めることができる。
【００１１】
上記の流体噴射装置のメンテナンス方法は、前記クリーニング動作は、前記ノズル近傍を減圧することで前記負圧を発生させ、前記排出動作の調整は、前記ノズル近傍の到達圧力、前記ノズル近傍の減圧速度及び前記ノズル近傍の減圧時間のうち少なくとも１つの調整を含むことを特徴とする。  
本発明によれば、クリーニング動作として、ノズル近傍を減圧することで負圧を発生させることとし、排出動作の調整として、ノズル近傍の到達圧力、ノズル近傍の減圧速度及びノズル近傍の減圧時間のうち少なくとも１つの調整を含むこととしたので、排出動作をより高精度に調整することができる。
【００１２】
上記の流体噴射装置のメンテナンス方法は、前記クリーニング動作は、第１吸引動作及び第２吸引動作の２段階の吸引動作を行い、前記排出動作の調整は、前記第１吸引動作の終了から前記第２吸引動作の開始までの時間の調整を含むことを特徴とする。  
本発明によれば、クリーニング動作として、第１吸引動作及び第２吸引動作の２段階の吸引動作を行い、排出動作の調整として、第１吸引動作の終了から第２吸引動作の開始までの時間の調整を含むこととしたので、排出動作をより高精度に調整することができる。
【００１３】
上記の流体噴射装置のメンテナンス方法は、前記第２吸引動作の後、前記ノズルから前記流体を噴射するフラッシング動作を行い、前記排出動作の調整は、前記第２吸引動作の終了から前記フラッシング動作の開始までの時間の調整を含むことを特徴とする。  
本発明によれば、第２吸引動作の後、ノズルから流体を噴射するフラッシング動作を行い、排出動作の調整として、第２吸引動作の終了からフラッシング動作の開始までの時間の調整を含むこととしたので、排出動作をより高精度に調整することができる。
【００１４】
上記の流体噴射装置のメンテナンス方法は、前記排出動作の調整は、前記フラッシング動作において前記ノズルから前記流体を噴射する際の駆動周波数の調整を含むことを特徴とする。  
本発明によれば、排出動作の調整として、フラッシング動作においてノズルから流体を噴射する際の駆動周波数の調整を含むこととしたので、排出動作をより高精度に調整することができる。
【００１５】
上記の流体噴射装置のメンテナンス方法は、前記クリーニング動作は、排出時の前記流体の流れを用いて前記流体噴射ヘッド内の気泡を移動させる気泡移動ステップを有し、前記排出動作の調整は、前記気泡移動ステップにおいて行うことを特徴とする。  
本発明によれば、クリーニング動作として、排出時の流体の流れを用いて流体噴射ヘッド内の気泡を移動させる気泡移動ステップを行い、排出動作の調整を気泡移動ステップにおいて行うこととしたので、気泡の移動に要する流体の流れをより適正に発生させることができる。これにより、メンテナンスの信頼性を高めることができる。
【００１６】
上記の流体噴射装置のメンテナンス方法は、前記クリーニング動作は、増粘した前記流体を排出する増粘流体排出ステップを有し、前記排出動作の調整は、前記増粘流体排出ステップにおいて行うことを特徴とする。  
本発明によれば、クリーニング動作として、増粘した流体を排出する増粘流体排出ステップを行い、排出動作の調整を増粘流体排出ステップにおいて行うこととしたので、増粘流体の排出に要する流体の流れをより適正に発生させることができる。これにより、メンテナンスの信頼性を高めることができる。
【００１７】
本発明に係る流体噴射装置は、流体を噴射するノズルを有する流体噴射ヘッドと、前記ノズルの近傍に負圧を発生させる負圧発生機構と、前記負圧発生機構を用いて前記ノズル近傍を負圧にさせることで前記ノズルから前記流体を排出させるクリーニング動作を行わせると共に、前記クリーニング動作の際に前記流体の溶存窒素量に応じて前記流体の排出動作を調整させる制御装置とを備えることを特徴とする。
【００１８】
本発明によれば、負圧発生機構を用いたクリーニング動作において、制御装置が流体の溶存窒素量に応じて流体の排出動作を調整させることとしたので、無駄な流体の排出を抑えつつ流体噴射ヘッドのクリーニングを確実に行うことができる。しかも、溶存窒素量の管理装置などを設ける必要が無いため、流体噴射装置が大型化することもない。これにより、信頼性が高く、小型化が可能な流体噴射装置を得ることができる。
【図面の簡単な説明】
【００１９】
【図１】本発明の実施の形態に係るプリンタの概略構成を示す一部分解図。
【図２】記録ヘッドの構成を説明する断面図。
【図３】記録ヘッドの構成を説明する要部断面図。
【図４】メンテナンス装置の要部構成を示す模式図。
【図５】プリンタの電気的な構成を示すブロック図。
【図６】メンテナンス動作を説明するためのグラフ。
【図７】メンテナンス動作を説明するための表。
【図８】本発明の実施例に係るメンテナンス動作を説明するための表。
【発明を実施するための形態】
【００２０】
以下、本発明に係る流体噴射装置の実施形態について、図を参照して説明する。本実施形態では、本発明に係る流体噴射装置として、インクジェット式プリンタ（以下、プリンタ１と称す）を例示する。図１は、本発明の実施形態に係るプリンタの概略構成を示す一部分解図である。
【００２１】
プリンタ１は、サブタンク２及び噴射ヘッド３を搭載したキャリッジ４と、プリンタ本体５とから概略構成される。プリンタ本体５には、キャリッジ４を往復移動させるキャリッジ移動機構６５（図７参照）と、不図示の記録紙（ターゲット）を搬送する紙送り機構６６（図７参照）と、噴射ヘッド（噴射ヘッド）３のメンテナンス処理に用いられるメンテナンス機構ＭＮと、噴射ヘッド３に供給するインクを貯留したインクカートリッジ６とが設けられている。
【００２２】
また、プリンタ１は、噴射ヘッド３から吐出されるインク滴Ｄを検出可能なインク滴センサ（流体検出手段）７を備えている（図４，７参照）。このインク滴センサ（流体検出手段）７は、噴射ヘッド３のノズルから吐出されるインク滴Ｄを帯電させ、この帯電したインク滴Ｄが飛翔する際の静電誘導に基づく電圧変化を検出信号として出力することで、ノズルのインク吐出状態を把握可能とするように構成されたものである。
【００２３】
上記キャリッジ移動機構６５は、図１に示される、プリンタ本体５の幅方向に架設されたガイド軸８と、パルスモータ９と、パルスモータ９の回転軸に接続されてこのパルスモータ９によって回転駆動される駆動プーリー１０と、駆動プーリー１０とはプリンタ本体５の幅方向の反対側に設けられた遊転プーリー１１と、駆動プーリー１０と遊転プーリー１１との間に掛け渡されてキャリッジ４に接続されたタイミングベルト１２と、から構成されている。
【００２４】
そして、パルスモータ９を駆動することで、キャリッジ４がガイド軸８に沿って主走査方向に往復移動するように構成されている。また、上記紙送り機構６６は、紙送りモータやこの紙送りモータによって回転駆動される紙送りローラ（いずれ不図示）等から構成され、記録紙を記録（印字・印刷）動作に連動させてプラテン上に順次送り出すようになっている。
【００２５】
図２は、プリンタにおける噴射ヘッドの構成を説明する断面図であり、図３は、噴射ヘッドの構成を説明する要部断面図である。図４はメンテナンス機構ＭＮの要部構成を示す模式図である。
【００２６】
図２に示されるように、本実施形態における噴射ヘッド３は、導入針ユニット１７、ヘッドケース１８、流路ユニット１９及びアクチュエータユニット２０を主な構成要素としている。  
導入針ユニット１７の上面にはフィルタ２１を介在させた状態で２本のインク導入針２２が横並びで取り付けられている。これらのインク導入針２２には、サブタンク２がそれぞれ装着される。また、導入針ユニット１７の内部には、各インク導入針２２に対応したインク導入路２３が形成されている。
【００２７】
このインク導入路２３の上端はフィルタ２１を介してインク導入針２２に連通し、下端はパッキン２４を介してヘッドケース１８内部に形成されたケース流路２５と連通する。
【００２８】
なお、本実施形態は、４種類のインクを使用する構成であるため、サブタンク２を４つ配設しているが、本発明は５種類以上のインクを使用する構成にも当然に適用されるものである。
【００２９】
サブタンク２は、ポリプロピレン等の樹脂製材料によって成型されている。このサブタンク２には、インク室２７となる凹部が形成され、この凹部の開口面に透明な弾性シート２６を貼設してインク室２７が区画されている。
【００３０】
また、サブタンク２の下部にはインク導入針２２が挿入される針接続部２８が下方に向けて突設されている。サブタンク２におけるインク室２７は、底の浅いすり鉢形状をしており、その側面における上下中央よりも少し下の位置には、針接続部２８との間を連通する接続流路２９の上流側開口が臨んでいる。また、インク室２７の上流側には、タンク部フィルタ（不図示）が設けられている。針接続部２８の内部空間にはインク導入針２２が液密に嵌入されるシール部材３１が嵌め込まれている。
【００３１】
このサブタンク２には、図４に示されるようにインク室２７に連通する連通溝部３２′を有する延出部３２が形成されており、この延出部３２の上面にはインク流入口３３が突設されている。このインク流入口３３には、インクカートリッジ６に貯留されたインクＬを供給するインク供給チューブ３４が接続される。従って、インク供給チューブ３４を通ってきたインクＬは、このインク流入口３３から連通溝部３２′を通ってインク室２７に流入するようになっている。本実施形態に係るプリンタ１は、４つのインクカートリッジ６を備えており、それぞれが対応するサブタンク２に上記インク供給チューブ３４を介して接続されている。インクカードリッジ６の各々には、シアン、マゼンダ、イエロー、ブラックの四色のインクが貯留されている。
【００３２】
図２に示した上記弾性シート２６は、インク室２７を収縮させる方向と膨張させる方向とに変形可能である。そして、この弾性シート２６の変形によるダンパ機能によって、インクＬの圧力変動が吸収される。すなわち、弾性シート２６の作用によってサブタンク２が圧力ダンパとして機能する。従って、インクＬは、サブタンク２内で圧力変動が吸収された状態で噴射ヘッド３側に供給されるようになっている。
【００３３】
ヘッドケース１８は、合成樹脂製の中空箱体状部材であり、下端面に流路ユニット１９を接合し、内部に形成された収容空部３７内にアクチュエータユニット２０を収容し、流路ユニット１９側とは反対側の上端面にパッキン２４を介在した状態で導入針ユニット１７を取り付けるようになっている。
【００３４】
このヘッドケース１８の内部には、高さ方向を貫通してケース流路２５が設けられている。このケース流路２５の上端は、パッキン２４を介して導入針ユニット１７のインク導入路２３と連通するようになっている。
【００３５】
また、ケース流路２５の下端は、流路ユニット１９内の共通インク室４４に連通するようになっている。したがって、インク導入針２２から導入されたインクＬは、インク導入路２３及びケース流路２５を通じて共通インク室４４側に供給される。
【００３６】
図３に示されるように、ヘッドケース１８の収容空部３７内に収容されるアクチュエータユニット２０は、櫛歯状に列設された複数の圧電振動子３８と、この圧電振動子３８が接合される固定板３９と、プリンタ本体側からの駆動信号を圧電振動子３８に供給する配線部材としてのフレキシブルケーブル４０とから構成される。各圧電振動子３８は、固定端部側が固定板３９上に接合され、自由端部側が固定板３９の先端面よりも外側に突出している。即ち、各圧電振動子３８は、所謂片持ち梁の状態で固定板３９上に取り付けられている。
【００３７】
また、各圧電振動子３８を支持する固定板３９は、例えば厚さ１ｍｍ程度のステンレス鋼によって構成されている。そして、アクチュエータユニット２０は、固定板３９の背面を、収容空部３７を区画するケース内壁面に接着することで収容空部３７内に収納・固定されている。
【００３８】
流路ユニット１９は、振動板（封止板）４１、流路基板４２及びノズル基板４３からなる流路ユニット構成部材を積層した状態で接着剤で接合して一体化することにより作製されており、共通インク室４４からインク供給口４５及び圧力室４６を通りノズル４７に至るまでの一連のインク流路（液体流路）を形成する部材である。圧力室４６は、ノズル４７の列設方向（ノズル列方向）に対して直交する方向に細長い室として形成されている。
また、共通インク室４４は、ケース流路２５と連通し、インク導入針２２側からのインクＬが導入される室である。そして、この共通インク室４４に導入されたインクＬは、インク供給口４５を通じて各圧力室４６に分配供給される。
【００３９】
流路ユニット１９の底部に配置されるノズル基板４３は、ドット形成密度に対応したピッチ（例えば１８０ｄｐｉ）で複数のノズル４７を列状に開設した金属製の薄い板材である。本実施形態のノズル基板４３は、ステンレス鋼の板材によって作製され、本実施形態においてはノズル４７の列（即ち、ノズル列）が、各サブタンク２に対応して２列ずつ、合計８列並設されている。そして、１つのノズル列は、例えば、１８０個のノズル４７によって構成される。ノズル基板４３と振動板４１との間に配置される流路基板４２は、インク流路となる流路部、具体的には、共通インク室４４、インク供給口４５及び圧力室４６となる空部が区画形成された板状の部材である。
【００４０】
本実施形態において、流路基板４２は、結晶性を有する基材であるシリコンウェハを異方性エッチング処理することによって作製されている。振動板４１は、ステンレス鋼等の金属製の支持板上に弾性フィルムをラミネート加工した二重構造の複合板材である。この振動板４１の圧力室４６に対応する部分には、エッチングなどによって支持板を環状に除去することで、圧電振動子３８の先端面が接合される島部４８が形成されており、この部分はダイヤフラム部として機能する。即ち、この振動板４１は、圧電振動子３８の作動に応じて島部４８の周囲の弾性フィルムが弾性変形するように構成されている。また、振動板４１は、流路基板４２の一方の開口面を封止し、コンプライアンス部４９としても機能する。このコンプライアンス部４９に相当する部分についてはダイヤフラム部と同様にエッチングなどにより支持板を除去して弾性フィルムだけにしている。
【００４１】
そして、上記の噴射ヘッド３において、フレキシブルケーブル４０を通じて駆動信号が圧電振動子３８に供給されると、この圧電振動子３８が素子長手方向に伸縮し、これに伴い島部４８が圧力室４６に近接する方向或いは離隔する方向に移動する。これにより、圧力室４６の容積が変化し、圧力室４６内のインクＬに圧力変動が生じる。この圧力変動によってノズル４７からインク滴Ｄが吐出される。
【００４２】
図４に示すように、メンテナンス機構ＭＮは、キャップユニット（負圧発生機構）５０を有している。キャップユニット５０は、噴射ヘッド３の噴射面４７Ａ（図３参照）を覆うように密閉し、密閉空間に負圧を発生させることでノズル４７内のインクを排出させるユニットである。キャップユニット５０は、噴射面４７Ａを密閉するキャップ部５１ａが形成された本体部５１と、チューブ５２を介してキャップ部５１ａに接続される吸引ポンプ５３とを有している。
【００４３】
チューブ５２の内部とキャップ部５１ａとは、接続部５１ｂを介して連通している。この構成により、吸引ポンプ５３は、凹部５１ａ内を吸引可能となっている。吸引ポンプ５３の下流側には、チューブ５４を介して廃インク回収用タンク５５が接続されている。負圧発生ユニット５０は、不図示の駆動機構を有している。当該駆動機構により上記本体部５１が噴射ヘッド３の噴射面４７Ａにおける所定の位置に移動可能となっている。
【００４４】
この他、メンテナンス機構ＭＮは、ノズル４７の噴射特性を維持するためのフラッシング動作時に用いられる不図示のフラッシングユニットなどを有している。
【００４５】
図５はプリンタ１の電気的な構成を示すブロック図である。  
本実施形態におけるプリンタ１は、プリンタ１全体の動作を制御する制御装置ＣＯＮＴを備えている。この制御装置ＣＯＮＴには、プリンタ１の動作に関する各種情報を入力する入力装置５９と、プリンタ１の動作に関する各種情報を記憶した記憶装置６０と、時間の計測を実行可能な計測装置６１とが接続されている。
【００４６】
制御装置ＣＯＮＴは、上述したカラー印刷モード及びモノクロ印刷モードのうちいずれかを選択するモード選択手段として機能する。制御装置ＣＯＮＴは、例えばユーザによる設定を反映させた印刷モードを選択できるようになっている。制御装置ＣＯＮＴには、上述した紙送り機構６６、キャリッジ移動機構６５、メンテナンス機構ＭＮ及び溶存窒素量を検出する検出装置ＳＲ等が接続されている。
【００４７】
溶存窒素量は、インク内に溶解された状態で存在する窒素の量を指す。インク内に窒素が溶解されていると、例えば温度条件の変動やインクの周囲の環境の変動により、窒素がインク内から気体として放出されてしまうことがある。放出された窒素ガスは、インク内で気泡として形成される場合がある。
【００４８】
インク内には、窒素の他にも例えば酸素が溶解された状態で存在することがある（溶存酸素）。この溶存酸素についても同様に、気泡形成の一因となる場合がある。以下、説明の簡単のため溶存窒素についてのみ記載するが、溶存酸素についても同様の説明が可能である。
【００４９】
溶存窒素量は、一定の値（飽和溶存窒素量）を超えることは無い。溶存窒素がほとんど存在しないインクは、例えば脱気インクと表記することができる。溶存窒素が飽和溶存窒素量分存在するインクは、例えば飽和インクと表記することができる。脱気インクを用いた場合、噴射ヘッド３内には気泡が生じにくくなるといえる。これに対して、飽和インクを用いた場合、噴射ヘッド３内には気泡が生じやすくなるといえる。
【００５０】
検出装置ＳＲは、例えばインク供給チューブ３４内に設けられている。検出装置ＳＲは、サブタンク２よりもインク供給の上流側に配置されていることが好ましい。検出装置ＳＲは、サブタンク２に供給される前のインク内の溶存窒素量を検出する。検出結果は、例えば制御装置ＣＯＮＴに送信されるようになっている。
【００５１】
制御装置ＣＯＮＴの記憶装置６０には、溶存窒素量に関する比較用データが記憶されている。比較用データとしては、例えばプリンタ１の使用環境において気泡が生じやすくなる溶存窒素量の閾値など挙げられる。この閾値は、例えば予め実験やシミュレーションなどによって求めておくことができる。
【００５２】
また、上記プリンタ１は、圧電振動子３８に入力する駆動信号を発生する駆動信号発生器６２を備えている。この駆動信号発生器６２は、制御装置ＣＯＮＴに接続されている。駆動信号発生器６２には、噴射ヘッド３の圧電振動子３８に入力する吐出パルスの電圧値の変化量を示すデータ、及び吐出パルスの電圧を変化させるタイミングを規定するタイミング信号が入力される。
【００５３】
次に、上記のように構成されたプリンタ装置ＰＲＴの動作を説明する。以下の説明では、プリンタ装置ＰＲＴの特徴であるメンテナンス方法（クリーニング動作及びフラッシング動作）について述べる。
【００５４】
まず、クリーニング動作及びフラッシング動作の概略を説明する。  
噴射ヘッド３のクリーニング動作を開始する際、制御装置ＣＯＮＴは、検出装置ＳＲによってインク内の溶存窒素量を検出させる。制御装置ＣＯＮＴは、記憶装置６０に記憶されている閾値と検出装置ＳＲによる検出値とを比較する。検出値が閾値よりも小さい場合、制御装置ＣＯＮＴは、当該インクを脱気インクとしてクリーニング動作を行わせる。検出値が閾値以上の場合、制御装置ＣＯＮＴは、当該インクを飽和インクとしてクリーニング動作を行わせる。
【００５５】
クリーニング動作として、制御装置ＣＯＮＴは、まずメンテナンス機構ＭＮに設けられた不図示の昇降機構を用いて噴射ヘッド３の下方に本体部５１を移動させ、キャップ部５１ａを噴射面４７Ａに当接させる。この動作により、噴射面４７Ａのノズル４７近傍がキャップ部５１ａによって密閉される。
【００５６】
噴射面４７Ａ上を密閉させた後、制御装置ＣＯＮＴは、吸引ポンプ５３を駆動させる。吸引ポンプ５３の駆動により、キャップ部５１ａに密閉されたノズル４７近傍が減圧され、当該ノズル４７近傍が負圧となる。このように、制御装置ＣＯＮＴは、ノズル４７近傍を負圧とすることでノズル４７からインクを排出させる。
【００５７】
制御装置ＣＯＮＴは、クリーニング動作として、気泡移動ステップ及び増粘インク排出ステップを行わせる。気泡移動ステップは、インク排出時に形成される当該インクの流れを用いて噴射ヘッド３内の気泡を移動させるステップである。具体的には、噴射ヘッド３内のフィルタ２１を通過せずに停留している気泡について、フィルタ２１を通過させるように移動させるステップである。増粘インク排出ステップは、増粘したインクを排出しノズル４７の詰まりを防ぐためのステップである。気泡の移動に要するインクの流量に比べて、増粘インクの排出に要するインクの流量は小さくなっている。
【００５８】
気泡移動ステップ及び増粘インク排出ステップの各ステップおいて、制御装置ＣＯＮＴは、ノズル４７近傍が負圧となるように吸引ポンプ５３に本吸引及び微量吸引の２段階の吸引動作を行わせる。図５は、本吸引動作及び微量吸引動作における時間と圧力との関係を示すグラフである。グラフの縦軸が圧力を示し、グラフの横軸が時間を示している。
【００５９】
本吸引動作は、それぞれのステップにおける目的（気泡移動ステップでは気泡の移動、増粘インク排出ステップでは増粘インクの排出）を行わせるための吸引動作である。微量吸引動作は、キャップ部５１ａからノズル４７内へインクが逆流するのを防ぐための吸引動作である。
【００６０】
図５に示すように、各ステップにおいて、制御装置ＣＯＮＴは、吸引ポンプ５３に本吸引動作（ｔ０〜ｔ１）を行わせる。制御装置ＣＯＮＴは、本吸引動作では、例えば密閉空間内が到達圧力Ｐ１となるまで吸引ポンプ５３を作動させる。本吸引動作の後、制御装置ＣＯＮＴは、吸引ポンプ５３の作動を停止させて密閉空間内の負圧を戻していく（ｔ１〜）。
【００６１】
その後、制御装置ＣＯＮＴは、メンテナンス機構ＭＮに設けられた不図示の昇降機構を用いて噴射ヘッド３の噴射面４７Ａとキャップ部５１ａとを引き離させ（ｔ２）、例えば不図示のワイピング部材などを用いて噴射面４７Ａを払拭させる（ｔ３〜ｔ４）。ワイピング部材による払拭後、制御装置ＣＯＮＴは、再びキャップ部５１ａを噴射面４７Ａに当接させる。
【００６２】
この状態で、制御装置ＣＯＮＴは、微量吸引動作（ｔ５〜ｔ６）を行わせる。制御装置ＣＯＮＴは、微量吸引動作では、例えば密閉空間内が到達圧力Ｐ２となるまで吸引ポンプ５３を作動させる。到達圧力Ｐ２は、本吸引動作の到達圧力Ｐ１に比べて小さな値とする。微量吸引動作の後、制御装置ＣＯＮＴは、吸引ポンプ５３の作動を停止させて密閉空間内の負圧を戻していく（ｔ６〜ｔ７）。
【００６３】
その後、制御装置ＣＯＮＴは、不図示の昇降機構を用いて噴射ヘッド３の噴射面４７Ａとキャップ部５１ａとを引き離させ（ｔ７）、例えば不図示のワイピング部材などを用いて噴射面４７Ａを払拭させる（ｔ８〜ｔ９）。
【００６４】
制御装置ＣＯＮＴは、上記各動作（ｔ０〜ｔ９）を気泡移動ステップ及び増粘インク排出ステップの各ステップにおいて行わせる。各ステップにおいて、ワイピング動作の終了後（ｔ９〜）、それぞれフラッシング動作を行わせる（ｔ１０〜）。
【００６５】
フラッシング動作を行う場合、制御装置ＣＯＮＴは、キャップ部５１ａと噴射面４７Ａとを対向させた状態とし、駆動信号発生器６２を介して圧電振動子３８を振動させる。この動作により、ノズル４７からインクが噴射されて排出される。排出されたインクは、キャップ部５１ａ内に収容される。このようにフラッシング動作が行われる。
【００６６】
本実施形態においては、制御装置ＣＯＮＴは、ノズル４７からのインクの排出動作を適宜調整しながら上記のクリーニング動作及びフラッシング動作を行わせる。制御装置ＣＯＮＴは、例えば吸引ポンプ５３を用いた吸引動作によるノズル４７近傍の到達負圧（絶対値）、ノズル近傍４７の吸引速度、ノズル近傍４７の吸引時間（ｔ０〜ｔ１、又は、ｔ５〜ｔ６）を調整することにより、排出動作を調整する。
【００６７】
この他、制御装置ＣＯＮＴは、本吸引動作の終了から微量吸引動作の開始までの時間（ｔ４〜ｔ５）や、微量吸引動作の終了からフラッシング動作の開始までの時間（ｔ９〜ｔ１０）、フラッシング動作において圧電振動子３８に供給する駆動信号の周波数などを調整することにより、インクの排出動作を調整する。
【００６８】
以下、排出動作の調整について具体的に説明する。本実施形態では、制御装置ＣＯＮＴは、上記結果によって飽和インクと判断されたインクのクリーニングと、脱気インクと判断されたインクのクリーニングとの間で、上記の排出動作を調整しながら吸引動作を行わせる。図７は、排出動作の調整内容をまとめた表である。
【００６９】
溶存窒素量が上記閾値未満である脱気インクは、溶存窒素量が少なく、フィルタ２１において停留するような気泡を発生させにくい。このため、インクの排出量をそれほど大きくしなくても印字不良を引き起こさない。これに対して、溶存窒素量が閾値以上である飽和インクは、溶存窒素量が大きく、フィルタ２１において停留する気泡を発生させやすい。
【００７０】
そこで、図７に示すように、気泡移動ステップを行う場合には、制御装置ＣＯＮＴは、脱気インクの場合よりも、飽和インクの場合の方が、ノズル４７近傍の到達負圧（絶対値）を大きくし、ノズル近傍４７の吸引時間を長くして吸引動作を行わせる。ノズル近傍４７の吸引速度については、例えば両者ともほぼ同一の吸引速度とする。この吸引動作は、本吸引動作及び微量吸引動作の両方について同様に行わせる。本吸引動作の終了から微量吸引動作の開始までの時間及び微量吸引動作の終了からフラッシング動作の開始までの時間については、それぞれ飽和インクの場合の方が脱気インクの場合に比べて長く設定する。フラッシング動作においては、飽和インクの場合の方が脱気インクの場合に比べて、駆動周波数を低く設定する。
【００７１】
この動作により、脱気インクについての気泡移動ステップでは、吸引量が抑えられることになるため、フィルタ２１の下流側のインクの排出量を抑制することができる。  
加えて、飽和インクについての気泡移動ステップでは、吸引量が大きくなり、インクの排出量を多くなるため、フィルタ２１より下流の残存気泡を減少させることができる。本吸引動作から微量吸引動作の時間が長くなり、微量吸引動作からフラッシング動作までの時間が長くなるため、気泡のインクへの溶解を促進させることができる。微量吸引動作においても気泡を排出することができるため、確実に残存気泡を減少させることができる。フラッシング動作において、駆動周波数を低く設定することにより、気泡がノズル４７内に詰ってしまうのを防ぐことができる。
【００７２】
増粘流体排出ステップを行う場合には、図７に示すように、制御装置ＣＯＮＴは、脱気インクの場合よりも、飽和インクの場合の方が、ノズル４７近傍の到達負圧（絶対値）を小さくし、ノズル近傍４７の吸引速度を小さくし、ノズル近傍４７の吸引時間を長くして吸引動作を行わせる。この吸引動作は、本吸引動作及び微量吸引動作の両方について同様に行わせる。本吸引動作の終了から微量吸引動作の開始までの時間及び微量吸引動作の終了からフラッシング動作の開始までの時間については、それぞれ飽和インクの場合の方が脱気インクの場合に比べて長く設定する。
【００７３】
この動作により、脱気インクについての増粘流体排出ステップでは、吸引量が抑えられることになるため、インクの排出量を抑制することができる。  
加えて、飽和インクについての気泡移動ステップでは、到達負圧（絶対値）が小さくなり、吸引速度が低くなり、吸引時間が長くなることにより、少量のインクがゆっくりと排出されることになる。このため、ノズル４７からの気泡の巻き込みが抑制されることとなる。また、気泡移動ステップと同様、本吸引動作から微量吸引動作の時間が長くなり、微量吸引動作からフラッシング動作までの時間が長くなるため、気泡のインクへの溶解を促進させることができる。微量吸引動作においても気泡を排出することができるため、確実に残存気泡を減少させることができる。フラッシング動作において、駆動周波数を低く設定することにより、気泡がノズル４７内に詰ってしまうのを防ぐことができる。
【００７４】
以上のように、本実施形態によれば、インクの溶存窒素量に応じてインクの排出動作を調整することとしたので、無駄な流体の排出を抑えつつ噴射ヘッド３のクリーニングを確実に行うことができる。これにより、信頼性の高いメンテナンスを効率的に行うことが可能となる。
【００７５】
また、噴射ヘッド３に供給される前のインクにおける溶存窒素量を検出し、検出結果に応じて排出動作を調整することとしたので、クリーニング動作を行うタイミングにおいてより正確な溶存窒素量を検出することができる。これにより、インクの排出量をより適正な値に調整することができるため、メンテナンスの信頼性を高めることができる。
【００７６】
本発明の技術範囲は上記実施形態に限定されるものではなく、本発明の趣旨を逸脱しない範囲で適宜変更を加えることができる。  
上記実施形態では、噴射ヘッド３に供給される前のインクにおける溶存窒素量を検出し検出結果を用いて排出動作を調整する構成としたが、これに限られることは無い。例えばインクカートリッジ６を噴射ヘッド３のサブタンク２に接続してから経過する時間に基づいて溶存窒素量を算定し、算定結果に応じて排出動作を調整するようにしても構わない。
【００７７】
この場合であっても、クリーニング動作を行うタイミングにおいてより正確な溶存窒素量が算出されることとなる。これにより、インクの排出量をより適正な値に調整することができるため、メンテナンスの信頼性を高めることができる。なお、この場合、算定方式については、予め実験やシミュレーションなどによって閾値を求めておき、記憶装置６０に記憶させておくことができる。上記実施形態の検出装置ＳＲによる検出結果及び当該算出結果の両方を用いて溶存窒素量を算出しても構わないし、検出結果に基づいて閾値を設定するようにしても構わない。
【００７８】
また、上記実施形態では、インクジェット式のプリンタと、インクカートリッジが採用されているが、インク以外の他の液体を噴射したり吐出したりする液体噴射装置と、その液体を収容した液体容器を採用しても良い。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。
【００７９】
また、ここでいう液体とは、液体噴射装置が噴射させることができるような材料であれ良い。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインクや液晶等が挙げられる。ここで、インクとは一般的な水性インクおよび油性インク並びにジェルインク、ホットメルトインク等の各種液体組成物を包含するものとする。
【００８０】
液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。
【００８１】
さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用しても良い。そして、これらのうちいずれか一種の噴射装置および液体容器に本発明を適用することができる。
【実施例】
【００８２】
本発明の実施例を説明する。  
本実施例では、上記実施形態における図８の排出動作の調整について、具体的な値を設定した上でクリーニング動作及びフラッシング動作を行った。図８は、当該結果を示す表である。
【００８３】
図８に示すように、溶存窒素量の値が８以上１０未満の場合に脱気インクとしてクリーニング動作を行い、溶存窒素量の値が１０以上の場合に飽和インクとしてクリーニング動作を行うこととした。
【００８４】
まず、気泡移動ステップにおけるインクの排出動作の調整について説明する。
【００８５】
脱気インクの場合、本吸引動作については、到達負圧を−５４ｋＰａ、吸引時間を２．４秒、吸引速度を５ｒｐｓとした。本吸引動作から微量吸引動作までの時間については、２５秒とした。微量吸引動作については、到達負圧を−１０ｋＰａ、吸引時間を０．８秒、吸引速度を３ｒｐｓとした。微量吸引動作からフラッシング動作までの時間については、１０秒とした。フラッシング動作における駆動信号の周波数は、７．２ｋＰａとした。
【００８６】
飽和インクの場合、本吸引動作については、到達負圧を−６５ｋＰａ、吸引時間を３．２秒、吸引速度を５ｒｐｓとした。本吸引動作から微量吸引動作までの時間については、５０秒とした。微量吸引動作については、到達負圧を−６ｋＰａ、吸引時間を１．６秒、吸引速度を１．６ｒｐｓとした。微量吸引動作からフラッシング動作までの時間については、３０秒とした。フラッシング動作における駆動信号の周波数は、１ｋＰａとした。
【００８７】
次に、増粘インク排出ステップにおけるインクの排出動作の調整について説明する。
【００８８】
脱気インクの場合、本吸引動作については、到達負圧を−１７ｋＰａ、吸引時間を１．８秒、吸引速度を３ｒｐｓとした。本吸引動作から微量吸引動作までの時間については、３０秒とした。微量吸引動作については、到達負圧を−９ｋＰａ、吸引時間を０．８秒、吸引速度を３ｒｐｓとした。微量吸引動作からフラッシング動作までの時間については、１０秒とした。フラッシング動作における駆動信号の周波数は、７．２ｋＰａとした。
【００８９】
飽和インクの場合、本吸引動作については、到達負圧を−１０ｋＰａ、吸引時間を３．６秒、吸引速度を１．６ｒｐｓとした。本吸引動作から微量吸引動作までの時間については、５０秒とした。微量吸引動作については、到達負圧を−６ｋＰａ、吸引時間を１．６秒、吸引速度を１．６ｒｐｓとした。微量吸引動作からフラッシング動作までの時間については、３０秒とした。フラッシング動作における駆動信号の周波数は、１ｋＰａとした。
【００９０】
上記のように、インクの溶存窒素量に応じてインクの排出動作を調整することとしたので、無駄な流体の排出を抑えつつ噴射ヘッド３のクリーニングを確実に行うことができることが実証された。これにより、信頼性の高いメンテナンスを効率的に行うことが可能となる。
【符号の説明】
【００９１】
１…プリンタ（流体噴射装置）、３…噴射ヘッド（流体噴射ヘッド）、ＭＮ…メンテナンス機構、４７…ノズル、５０…キャップユニット（負圧発生機構）、ＣＯＮＴ…制御装置
【図１】
2010221483.tif 000003
【図２】
2010221483.tif 000004
【図３】
2010221483.tif 000005
【図４】
2010221483.tif 000006
【図５】
2010221483.tif 000007
【図６】
2010221483.tif 000008
【図７】
2010221483.tif 000009
【図８】
2010221483.tif 000010